(57)【要約】  本発明は、作業現場において足を保護するために着靴する安全靴に係り、更に詳しくは、軽量であり、着靴感に優れているとともに、外部の衝撃から足を安全に保護する発泡型軽量安全靴に関する。  すなわち、本発明は、足指部分を覆って外部の衝撃から安全に保護するトゥーキャップが内蔵された安全靴において、前記安全靴は、合成樹脂を発泡させて靴の底及び甲皮が一体に形成されたフォームシューズを備えるが、フォームシューズの前方の内部には、靴の底及び甲皮にトゥーキャップ嵌込溝を形成して発泡成形されたフォームシューズが冷却される前にトゥーキャップ嵌込溝にトゥーキャップを嵌着し、前記トゥーキャップは金属製であり、甲皮と接する蓋体部の下端に靴の底と接する支持縁を形成するが、支持縁には、靴の底を横切る補強片を溶接するか、又は前記トゥーキャップはエンジニアリング系プラスチック製であり、甲皮と接する蓋体部の下端に靴の底と接する接地板を一体に形成する。【選択図】図１
2016527978.tif 000002
【特許請求の範囲】
【請求項１】
足指部分を覆って外部の衝撃から安全に保護するトゥーキャップ（１０）が内蔵された安全靴（１）において、
前記安全靴（１）は、合成樹脂を発泡させて靴の底（３）及び甲皮（４）が一体に形成されたフォームシューズ（２）を備えるが、
フォームシューズ（２）の前方の内部には、靴の底（３）及び甲皮（４）にトゥーキャップ嵌込溝（３ａ）（４ａ）を形成して発泡成形されたフォームシューズ（２）が冷却される前にトゥーキャップ嵌込溝（３ａ）（４ａ）にトゥーキャップ（１０）を嵌着することを特徴とする発泡型軽量安全靴。
【請求項２】
前記トゥーキャップ（１０）は金属製であり、甲皮（４）と接する蓋体部（１１）の下端に靴の底と接する支持縁（１２）を形成するが、
支持縁（１２）には、靴の底（３）を横切る補強片（１３）を溶接することを特徴とする請求項１に記載の発泡型軽量安全靴。
【請求項３】
前記トゥーキャップ（１０）はエンジニアリング系プラスチック製であり、甲皮（４）と接する蓋体部（１１）の下端に靴の底（３）と接する接地板（１４）を一体に形成することを特徴とする請求項１に記載の発泡型軽量安全靴。
【発明の詳細な説明】
【技術分野】
【０００１】
本発明は、作業現場において足を保護するために着靴する安全靴に係り、更に詳しくは、軽量であり、着靴感に優れているとともに、外部の衝撃から足を安全に保護する発泡型軽量安全靴に関する。
【背景技術】
【０００２】
産業現場において用いられている安全靴は、その用途に応じて種々のものがあるが、一般に、安全靴とは、工場や建設現場などにおいて落下する重量物から足を保護したり、歩行中に鋭い物体又は硬い物体に足の前部がぶつかって障害を受けることを防いだりするための足保護用履物のことをいう。
【０００３】
このため、足を保護するための前記安全靴には、安全靴の前部である足指先から概ね足の甲の中間部に相当する部位を覆う鋼鉄製のトゥーキャップが配設されて足を保護する。このとき、足を保護するための鋼鉄製のトゥーキャップは、１，１００ｋｇの荷重や４６ｃｍの高さから落下する２３ｋｇの重量に耐える剛性を有することを余儀なくされるため、一般に、通常の鋼鉄板材を絞り加工して製作する。
【０００４】
従来の安全靴の先行技術としては、例えば、特許文献１に記載の安全靴、下記の特許文献２に記載の安全靴などが提案されている。
【０００５】
これらの安全靴の場合、甲皮及び靴の底を別々に製作し、特に、トゥーキャップを二重構造を有する甲皮内に配設したものであり、安全靴が重くて着用感が低下するなどの問題があった。
【先行技術文献】
【特許文献】
【０００６】
【特許文献１】韓国登録実用新案第２０−０２７４１０７号公報（２００２年５月３日）
【特許文献２】韓国公開特許第１０−２０１２−０１２６１９５号公報（２０１２年１１月２１日）
【発明の概要】
【発明が解決しようとする課題】
【０００７】
そこで、本発明は、上述した従来の技術の問題を一掃するためになされたものであり、その目的は、合成樹脂を発泡させて安全靴を製造して、軽量であり、着靴感に優れているとともに、外部の衝撃から足を安全に保護する発泡型軽量安全靴を提供することにある。
【課題を解決するための手段】
【０００８】
上述した課題を解消するために、本発明は、足指部分を覆って外部の衝撃から安全に保護するトゥーキャップが内蔵された安全靴において、前記安全靴は、合成樹脂を発泡させて靴の底及び甲皮が一体に形成されたフォームシューズを備えるが、フォームシューズの前方の内部には、靴の底及び甲皮にトゥーキャップ嵌込溝を形成して発泡成形されたフォームシューズが冷却される前にトゥーキャップ嵌込溝にトゥーキャップを嵌着することを特徴とする。
【０００９】
また、前記トゥーキャップは金属製であり、甲皮と接する蓋体部の下端に靴の底と接する支持縁を形成するが、支持縁には、靴の底を横切る補強片を溶接することが好ましい。
【００１０】
更に、前記トゥーキャップはエンジニアリング系プラスチック製であり、甲皮と接する蓋体部の下端に靴の底と接する接地板を一体に形成することが好ましい。
【発明の効果】
【００１１】
本発明において提供する発泡型軽量安全靴によれば、下記の効果が得られる。
【００１２】
靴の底及び甲皮が合成樹脂を発泡させて形成されることから、安全靴が軽量に製作され、これにより、着靴感が良好である。
【００１３】
また、軽量であることから、長時間着靴しても疲労感が低減される。
【００１４】
更に、発泡により靴の底及び甲皮が一体に形成されることから、生産性の向上及び製造コストの節減が期待される。
【００１５】
更にまた、トゥーキャップが下部開口状の金属製であり、支持縁に補強片が溶接されることから、外部の衝撃によりトゥーキャップが押しつぶされるとき、耐久性が弱くなる靴の底を補強片が補強することから、足が安全に保護される。
【００１６】
更にまた、甲皮の内部に通気用突起が形成されて安全靴の内部の通気性を高めることから、分泌物（汗）により発生する悪臭及び水虫などの疾病の発病が極力抑えられる。
【図面の簡単な説明】
【００１７】
【図１】本発明において提供する発泡型軽量安全靴の一実施形態を示す斜視図である。
【図２】本発明において提供する発泡型軽量安全靴を長靴タイプに構成した例を示す斜視図である。
【図３】本発明において提供する発泡型軽量安全靴に適用されるトゥーキャップの一例を示す斜視図である。
【図４】本発明において提供する発泡型軽量安全靴に適用されるトゥーキャップの他の例を示す斜視図である。
【図５】本発明において提供する発泡型軽量安全靴の断面図であり、トゥーキャップを組み付ける前の状態図である。
【図６】本発明において提供する発泡型軽量安全靴の断面図であり、トゥーキャップを組み付けた後の状態図である。
【発明を実施するための形態】
【００１８】
以下、添付図面に基づき、本発明において提供する発泡型軽量安全靴の実施形態について詳細に説明する。
【００１９】
図１は、本発明において提供する発泡型軽量安全靴の好適な一実施形態を示す斜視図であり、図２は、本発明において提供する発泡型軽量安全靴に適用されるトゥーキャップの一例を示す斜視図であり、図３は、本発明において提供する発泡型軽量安全靴に適用されるトゥーキャップの他の例を示す斜視図である。
【００２０】
本発明は、軽量であり、着靴感の向上、着靴疲労度の減少、安全性の確保、生産性の向上などの効果を提供する。
【００２１】
このために、本発明においては、発泡型軽量安全靴１を靴の底３及び甲皮４が一体に形成されるように合成樹脂を発泡させてフォームシューズ２を形成し、内部には開口方向に長く通気用突起（図示せず）を形成する。
【００２２】
合成樹脂を発泡させてフォームシューズ２を形成するとき、足指が位置するフォームシューズ２の前方の靴の底３及び甲皮４の内側にトゥーキャップ嵌込溝３ａ、４ａを形成する。
【００２３】
前記トゥーキャップ嵌込溝３ａ、４ａは、トゥーキャップ１０の厚さに見合う深さに形成してトゥーキャップ嵌込溝３ａ、４ａとトゥーキャップ１０との間の段差をなくして着靴時の異物感をなくす。
【００２４】
前記トゥーキャップ嵌込溝３ａ、４ａへのトゥーキャップ１０の固定は、強制嵌め込みにより行われ、好ましくは、フォームシューズ２を発泡成形した後、フォームシューズ２が冷却される前に、図４及び図５に示すように、トゥーキャップ１０を嵌着すればよい。
【００２５】
すなわち、フォームシューズ２が冷却される前には軟性があるため、トゥーキャップ１０をトゥーキャップ嵌込溝３ａ、４ａに向かって押し込み易く、この状態で、フォームシューズ２が冷却されながら硬化されるとともに、フォームシューズ２が収縮されながらトゥーキャップ１０を強固に固定する。
【００２６】
前記トゥーキャップ１０は、金属又はエンジニアリング系プラスチックにより形成される。
【００２７】
トゥーキャップ１０を金属製にする場合、甲皮４と接する蓋体部１１の下端に靴の底３と接する支持縁１２を形成することが一般的であるが、本発明においては、支持縁１２に靴の底３を横切る補強片１３を溶接してトゥーキャップ１０が外力により押しつぶされることを防ぐ。このとき、補強片１３は、トゥーキャップ嵌込溝３ａの段差側（足裏側）に形成する。
【００２８】
また、トゥーキャップ１０をエンジニアリング系プラスチック製にする場合、甲皮４と接する蓋体部１１の下端に靴の底３と接する接地板１４を一体に形成する。
【００２９】
上述した構成を有する本発明の発泡型軽量安全靴１は、フォームシューズ２の内部にトゥーキャップ嵌込溝３ａ、４ａを形成し、ここにトゥーキャップ１０を嵌着したものであり、安全靴１を軽量に製作して普及することができ、トゥーキャップ１０を用いて足を安全に保護することができる。
【００３０】
特に、トゥーキャップ１０を金属製にする場合、外力によりフォームシューズ２内において変形されて足が損傷される虞があるが、本発明においては、支持縁１２に靴の底３を横切る補強片１３を更に付加して、外力によりトゥーキャップ１０が押しつぶされることが防がれて足が安全に保護される。
【００３１】
また、本発明のフォームシューズ２の内部に開口方向に長く通気用突起を形成する場合、通気性に優れていることから、足から発生する汗などの分泌物により発生する各種の疾病が予防され、防水性に優れていることから、長靴の代わりに使用可能であるなど、産業全般に亘って汎用可能である。
【００３２】
本発明の詳細な説明の欄においては具体的な実施形態について説明するが、本発明の範囲から逸脱しない範囲内において種々に変形可能であるということはいうまでもない。
【００３３】
よって、本発明の保護範囲は説明された実施形態に限定されるものではなく、後述する特許請求の範囲だけではなく、これとの均等物により定められるべきである。
【産業上の利用可能性】
【００３４】
本発明は、作業現場において足を保護するために着靴する安全靴に関するものであるため、産業上の利用可能性がある。
【図１】
2016527978.tif 000003
【図２】
2016527978.tif 000004
【図３】
2016527978.tif 000005
【図４】
2016527978.tif 000006
【図５】
2016527978.tif 000007
【図６】
2016527978.tif 000008
【国際調査報告】
2016527978.tif 000009
2016527978.tif 000010
2016527978.tif 000011
2016527978.tif 000012